(57)【特許請求の範囲】
【請求項１】
橋梁に沿って張設されるケーブルを収容して保護するケーブル保護管の劣化部分を補修するため、その劣化部分を除去した後、除去部分を挟む両側の既設のケーブル保護管を接続するＦＲＰ製の補修管材(1)において、円管部(2)とリブ(3)とを備え、前記リブ(3)は、円管部(2)の径方向の中心線について管周上の対称位置から接線方向へ迫り出し、管軸方向へ延びるものとし、
前記円管部(2)は、対称位置で半割りし、その半円管部(6)の両端部から前記リブ(3)を延出した半管部材(4)から成るものとし、対となる半管部材(4)を、その両端部の突き合わせにより接合するようにし、
前記半管部材(4)には、半円管部(6)の両端部のうち、一方に凸部(7,12a,12b)を、他方に凹部(8,13a,13b)を設けておき、対となる半管部材(4)を互いに反転し、その凸部(7,12a,12b)と凹部(8,13a,13b)との嵌入により接合するようにしたことを特徴とする橋梁添架用ケーブル保護管の補修管材。
【請求項２】
橋梁に沿って張設されるケーブルを収容して保護するケーブル保護管の劣化部分を補修するため、その劣化部分を除去した後、除去部分を挟む両側の既設のケーブル保護管を接続するＦＲＰ製の補修管材(1)の接続に使用するソケット(21)であって、
前記補修管材(1)は、円管部(2)とリブ(3)とを備え、前記リブ(3)は、円管部(2)の径方向の中心線について管周上の対称位置から接線方向へ迫り出し、管軸方向へ延びるものであり、
前記円管部(2)に挿入される支持筒部(22)と、その一端に設けられた接続用フランジ部(23)と、前記フランジ部(23)から延出されて前記リブ(3)に当接することで補修管材(1)を回り止めする回止部(24)とを有することを特徴とする補修管材用ソケット。
【発明の詳細な説明】
【技術分野】
【０００１】
この発明は、通信ケーブル等のケーブルが挿通されて橋梁に添架されるケーブル保護管の補修管材及びその接続用ソケットに関するものである。
【背景技術】
【０００２】
一般に、通信ケーブル等のケーブルを橋梁に沿って添架する場合、ケーブルをケーブル保護管に挿通して保護している。このようなケーブル保護管としては、鋼管が多用されているが、ケーブル保護管は、風雨や温度変化に曝されるほか、自重や外力の作用を受けるので、時間の経過に伴い、腐食や割れ等の劣化が進行する。特に、橋台等の支持部分に近い部分は、自重や外力による応力が集中しやすく、劣化が進行しやすい。
【０００３】
ケーブル保護管の劣化が進行した部分は、保守作業時に切除されて、円筒を二分割した半割り鋼管等の補修管材に取り替えられるが、鋼製の補修管材は、やはり腐食しやすく、重さに起因して施工に伴う負担も大きいため、下記特許文献１において、軽量で腐食しない繊維強化プラスチック（ＦＲＰ）製の補修管材が提案されている。
【０００４】
図６に示すように、この補修管材５１は、それぞれ円筒を周方向に二つ割りにした断面半円状の一対の半割管からなるＦＲＰ製のソケット５２、補修管５３及び接続管５４の各部材から構成される。部材を二つ割りとするのは、ケーブルＣを切断することなく、補修を行うためである。
【０００５】
この補修管材５１による補修作業においては、まず、ケーブルＣが挿通されたケーブル保護管３０のうち、支持点である橋台Ａの壁面近くの劣化した部分を切断し除去する。
【０００６】
次に、中間部外周にリブ状の突当部５２ａを有する一対の半割管からなるソケット５２の一端側を、橋台Ａ内に埋め込まれている既設のケーブル保護管３０内に差し込む。
【０００７】
そして、ソケット５２の他端側から橋台Ａとは反対側に位置する既設のケーブル保護管３０の端面にわたって、断面半円状の一対の半割管からなる補修管５３を、ケーブルＣに被せるように組み付け、橋台Ａとは反対側において、補修管５３の端部と既設のケーブル保護管３０の端部とを、断面半円状の一対の半割管からなる接続管５４で抱持する。
【０００８】
最後に、補修管５３及び接続管５４の外周を、軸方向に離れた数箇所でステンレスバンド等で締め付けて、補修管材５１と既設のケーブル保護管３０とを一体化する。
【先行技術文献】
【特許文献】
【０００９】
【特許文献１】特開２００６−１９１７１７号公報
【発明の概要】
【発明が解決しようとする課題】
【００１０】
しかしながら、上記のような補修管材では、補修管５３が単に断面半円状の一対の半割管であることから、ＦＲＰの強度上、長い距離には対応できず、鋼製の補修管材を使用せざるを得ない場合も多い。
【００１１】
そこで、この発明は、長い距離の補修箇所に対応可能なＦＲＰ製の補修管材を提供し、補修の作業性を向上させ、補修に要するコストを抑制することを課題とする。
【課題を解決するための手段】
【００１２】
上記課題を解決するため、この発明は、橋梁に沿って張設されるケーブルを収容して保護するケーブル保護管の劣化部分を補修するため、その劣化部分を除去した後、除去部分を挟む両側の既設のケーブル保護管を接続するＦＲＰ製の補修管材において、円管部とリブとを備え、前記リブは、円管部の径方向の中心線について管周上の対称位置から接線方向へ迫り出し、管軸方向へ延びるものとしたのである。
【００１３】
また、前記円管部を対称位置で半割りし、その半円管部の両端部から前記リブを延出した半管部材から成るものとし、対となる半管部材を、その両端部の突き合わせにより接合するようにしたのである。
【００１４】
さらに、前記円管部を半割りした半管部材には、半円管部の両端部のうち、一方に凸部を、他方に凹部を設けておき、対となる半管部材を互いに反転し、その凸部と凹部との嵌入により接合するようにしたのである。
【００１５】
そのほか、前記補修管材の接続に使用するソケットは、前記円管部に挿入される支持筒部と、その一端に設けられた接続用フランジ部と、前記フランジ部から延出されて前記リブに当接することで補修管材を回り止めする回止部とを有するものとしたのである。
【発明の効果】
【００１６】
この補修管材では、ケーブルを挿通する円管部がリブで補強され、大きな断面二次モーメントが得られるので、従来２ｍ程度が限度であったところ、５ｍ程度の長い距離にわたってケーブル保護管を切除し、その切除部に置き換える場合にも対応でき、材料が軽量であることから、容易に施工できる。また、円管部とリブとを一体化しているので、引抜成形等の製造方法で安価に製造することができ、施工後長期間経過しても腐食しないため、補修に要するコストを抑制することができる。
【００１７】
また、半管部材の断面形状を左右対称とすれば、一種類の半管部材のみを製作すればよく、これによっても、製造コストを抑制でき、半管部材を凸部と凹部の嵌入により接合する構造として、施工時の半管部材同士の位置決めの容易化を図ることができる。
【００１８】
さらに、天面及び底面となるリブの外面を水平としておくことにより、橋梁に複数のケーブル保護管による管路が積み上げて添架されているような場合でも、補修管材を安定した状態で積み上げることができる。
【００１９】
また、ソケットに補修管材を回り止めする回止部を設けたので、補修管材を大きな断面二次モーメントを確保できる角度に固定でき、所定の強度が発揮される高精度の施工を容易に行うことができるほか、補修管材の円管部とソケットの支持筒部とが管軸方向に相対的にスライド可能となっているので、別途伸縮継手等を介在させることなく、橋梁の撓みや伸縮に対応することができる。
【図面の簡単な説明】
【００２０】
【図１】この発明の第１実施形態に係る補修管材の接合した一対の半管部材と嵌合部材とを分離状態で示す斜視図
【図２】同上の補修管材とソケットとを示す斜視図
【図３】同上の補修管材の端部にソケットを挿入した状態の端面図
【図４】同上の橋台側における施工状態を示す斜視図
【図５】この発明の第２実施形態に係る補修管材とソケットとを示す斜視図
【図６】従来の補修管材を分解した状態で示す斜視図
【発明を実施するための形態】
【００２１】
以下、この発明の実施形態を添付図面に基づいて説明する。
【００２２】
第１実施形態として図１〜図４に示す補修管材１は、ＦＲＰ製であって、円管部２にリブ３を設けた形状とされ、各一対の半管部材４及び嵌合部材５から構成されている。
【００２３】
図１に示すように、円管部２は、その径方向の中心線について管周上の対称位置となる上端部及び下端部で半割りされている。リブ３は、円管部２を構成する半円管部６の両端部から接線方向へ迫り出し、管軸方向へ延びるものとされている。この半円管部６とリブ３とで上述の半管部材４が形成されている。
【００２４】
半管部材４には、半円管部６の両端部のうち、一方の端部に山形状の凸部７が、他方の端部に谷溝状の凹部８が管軸方向へ延びるように設けられ、対となる半管部材４は、互いに上下反転した状態で半円管部６の両端部を突き合わせ、その凸部７と凹部８とを嵌入することにより接合されるようになっている。
【００２５】
また、半管部材４には、リブ３の基部に臨む円管部２の上面及び下面に、半管部材４同士を接合した状態で上方及び下方へかけて間隔が広がる嵌合溝９が管軸方向へ延びるように設けられている。
【００２６】
嵌合部材５は、細長い平板状の基板部１０の両側に、先端側の間隔が狭くなるように内向きに傾斜した嵌入片部１１を連設したものとされている。
【００２７】
そして、図２及び図３に示すように、突き合わせた半管部材４に跨って、嵌合部材５の両側の嵌入片部１１を各半管部材４の嵌合溝９にそれぞれ嵌め入れることにより、半管部材４同士が接合状態で固定される。この状態において、リブ３の面と基板部１０の外面が同一面を形成する。
【００２８】
一方、上記補修管材１の接続に使用するソケット２１は、ステンレス製であって、補修管材１の円管部２に挿入されて円管部２を支持する支持筒部２２と、その一端に設けられた接続用のフランジ部２３と、フランジ部２３から延出されて下側のリブ３に当接することで補修管材１を回り止めする回止部２４を備え、フランジ部２３にボルトを挿通する貫穴２５を形成したものとされている。
【００２９】
支持筒部２２は、その径方向の中心線について管周上の対称位置となる高さ方向の中央部で半割りされ、これにより、ソケット２１は、支持筒部２２を構成する半支持筒部２６をそれぞれ備えた一対の半ソケット部材２７から成るものとされている。
【００３０】
なお、ソケット２１は、ステンレスに代えて、補修管材１と同様、ＦＲＰを材料とするものとしてもよい。
【００３１】
上記のような補修管材１による補修作業においては、図４に示すように、まず、ケーブルＣが挿通されたケーブル保護管３０のうち、支持点である橋台Ａの壁面近くの劣化した部分を切断し除去する。
【００３２】
次に、橋台Ａ寄りで露出したケーブルＣに、上方及び下方から一対の半ソケット部材２７の半支持筒部２６を被せ、対となる半支持筒部２６の両端部を突き合わせて、支持筒部２２にケーブルＣが挿通された状態で、ソケット２１をボルト２８により橋台Ａに固定する。このとき、回止部２４は、橋台Ａの段部に載置するとよい。
【００３３】
次に、橋台Ａとは反対側の既設のケーブル保護管３０の端部と、ソケット２１の支持筒部２２とに、両側から補修管材１の一対の半管部材４の半円管部６を被せ、円管部２にケーブルＣが挿通された状態とし、突き合わせた半管部材４同士を嵌合部材５により接合状態で固定する。
【００３４】
上記のような補修管材１では、ケーブルＣを挿通する円管部２がリブ３で補強され、大きな断面二次モーメントが得られるので、長い距離にわたってケーブル保護管３０を切除し、その切除部に置き換える場合にも対応でき、材料が軽量であることから、容易に施工できる。また、円管部２とリブ３とを一体化しているので、半管部材４を引抜成形等の製造方法で安価に製造することができ、施工後長期間経過しても腐食しないため、補修に要するコストを抑制することができる。
【００３５】
また、半管部材４の断面形状を左右対称としたので、一種類の半管部材４のみを製作すればよく、これによっても、製造コストを抑制でき、半管部材４を凸部７と凹部８の嵌入により接合する構造としたので、施工時の半管部材４同士の位置決めを正確かつ容易に行うことができる。
【００３６】
さらに、補修管材１の天面及び底面となるリブ３の外面を水平としたので、橋梁に複数のケーブル保護管３０による管路が積み上げて添架されているような場合でも、補修管材１を安定した状態で積み上げることができる。
【００３７】
また、ソケット２１に補修管材１を回り止めする回止部２４を設けたので、補修管材１を大きな断面二次モーメントを確保できる角度に固定でき、所定の強度が発揮される高精度の施工を容易に行うことができるほか、補修管材１の円管部２とソケット２１の支持筒部２２とが管軸方向に相対的にスライド可能となっているので、別途伸縮継手等を介在させることなく、橋梁の撓みや伸縮に対応することができる。
【００３８】
また、ソケット２１は、２個１組として、フランジ部２３同士を背中合わせに当接した状態で、ボルトで固定することにより、さらに長い距離にわたってケーブル保護管３０を切除して補修する場合における補修管材１同士の接続に使用することもできる。
【００３９】
なお、上記第１実施形態では、水平方向に延びるリブ３のみを設けた補修管材１を例示したが、図５に示す第２実施形態のように、補修管材１は、水平方向に延びるリブ３に加えて、垂直方向に延びるリブ３も設け、円管部２が四角筒状のリブ３で囲まれたような形状となるようにしてもよい。
【００４０】
また、第２実施形態の補修管材１においては、各半管部材４の半円管部６の両端部に、互い違いに重なるように凸部１２ａ，１２ｂ及び凹部１３ａ，１３ｂを設け、外側に重なる凸部１２ａの先端部内面に、テーパー状に内側へ迫り出す隆起部１４を設け、これに対応する凹部１３ａに陥入部１５を設けている。
【００４１】
これにより、半管部材４同士を突き合わせた状態で、隆起部１４と陥入部１５とが噛み合い、上記第１実施形態のように、嵌合部材５を用いることなく、半管部材４同士を接合状態で固定することができる。なお、接合状態をより確実にするため、重なり合った凸部１２ａ，１２ｂを、ピン１６の打込又は接着剤により固着しておくとよい。また、狭い箇所などでは、バンド掛けにより接合状態で固定するようにしてもよい。
【符号の説明】
【００４２】
１  補修管材
２  円管部
３  リブ
４  半管部材
５  嵌合部材
６  半円管部
７  凸部
８  凹部
９  嵌合溝
１０  基板部
１１  嵌入片部
１２ａ，１２ｂ  凸部
１３ａ，１３ｂ  凹部
１４  隆起部
１５  陥入部
１６  ピン
２１  ソケット
２２  支持筒部
２３  フランジ部
２４  回止部
２５  貫穴
２６  半支持筒部
２７  半ソケット部材
２８  ボルト
３０  ケーブル保護管
Ａ  橋台
Ｃ  ケーブル
【図１】
0005876455.tif 000002
【図２】
0005876455.tif 000003
【図３】
0005876455.tif 000004
【図４】
0005876455.tif 000005
【図５】
0005876455.tif 000006
【図６】
0005876455.tif 000007